(57)【要約】      （修正有）【課題】水平破断した杭頭余盛部を場所打ちコンクリート杭の原位置から場外にそのまま搬出できるような形状・寸法に破砕することのできる杭頭処理工法を提供する。【解決手段】場所打ちコンクリート杭１０の杭頭処理を行う杭頭処理工法であって、杭頭部２０の杭頭余盛部２１を水平破断する工程と、水平破断された杭頭余盛部２１の上面から複数の装薬孔５０〜５４を縦方向に削孔する工程と、複数の装薬孔５０〜５４に装薬材４０を装填する工程と、装薬材内の動的破砕剤により杭頭余盛部２１を小割破砕する工程と、を含み、装薬孔５０〜５４の削孔工程と、装薬材４０の装填工程と、杭頭余盛部２１の小割破砕工程とを場所打ちコンクリート杭１０の原位置において行い、複数の装薬孔は、杭頭余盛部２１の杭断面中心に設けられた縦方向の装薬孔５０、および、杭断面中心を中心とした同一円周上に等間隔に設けられた少なくとも４つの縦方向の装薬孔５１〜５４である。【選択図】図４
2019167690.tif 000002
【特許請求の範囲】
【請求項１】
場所打ちコンクリート杭の杭頭処理を行う杭頭処理工法であって、
杭頭部の杭頭余盛部を水平破断する工程と、
前記水平破断された杭頭余盛部の上面から複数の装薬孔を縦方向に削孔する工程と、
前記複数の装薬孔に装薬材を装填する工程と、
前記装薬材内の動的破砕剤により前記杭頭余盛部を小割破砕する工程と、を含み、
前記装薬孔の削孔工程と、前記装薬材の装填工程と、前記杭頭余盛部の小割破砕工程とを前記場所打ちコンクリート杭の原位置において行い、
前記複数の装薬孔は、前記杭頭余盛部の杭断面中心に設けられた縦方向の装薬孔、および、前記杭断面中心を中心とした同一円周上に等間隔に設けられた少なくとも４つの縦方向の装薬孔である杭頭処理工法。
【請求項２】
前記杭頭余盛部は、前記各装薬孔における前記動的破砕剤による破砕力により、前記杭断面中心の装薬孔から前記少なくとも４つの装薬孔に向けて放射状に鉛直破断される請求項１に記載の杭頭処理工法。
【請求項３】
前記杭頭余盛部の全体を防爆シートで覆い、次に、前記防爆シートの上から締め付けベルトで前記杭頭余盛部を締め付けてから、前記小割破砕工程を行う請求項１または２に記載の杭頭処理工法。
【請求項４】
前記複数の装薬孔内の前記動的破砕剤を同時に点火する請求項１乃至３のいずれかに記載の杭頭処理工法。
【請求項５】
前記コンクリート杭のための杭鉄筋は、上面から見て円周上に並ぶように配置された杭軸方向に延びる複数の杭主筋を備え、
前記杭鉄筋の組み立て時に、前記杭主筋の前記杭頭余盛部に対応する上端部分において前記複数の杭主筋が並んだ円周内側に縁切りシートを配置し、その後、前記杭鉄筋を用いて前記コンクリート杭を打設する請求項１乃至４のいずれかに記載の杭頭処理工法。
【発明の詳細な説明】
【技術分野】
【０００１】
本発明は、場所打ちコンクリート杭の杭頭処理工法に関する。
【背景技術】
【０００２】
場所打ちコンクリート杭の杭頭処理に関する従来の工法として次のものが知られている。
（１）はつり工法
杭頭の余盛部を手動式の破砕機を用いて人力によりはつり、発生したコンクリートガラを処理する工法で、作業時間に制限があるなどして時間を要するばかりでなく、騒音・振動が著しく、周辺環境に大きく影響する。また、作業中に、杭頭の鉄筋を傷めるなど、工法的な問題もある。
【０００３】
（２）静的破砕剤による破砕工法
あらかじめ杭頭に設置したシース管などに挿入した静的破砕剤の膨張作用により、杭頭のコンクリートを小割にし、処理する工法であるが、後施工となるため、破砕剤が適度に作用することが難しく、また、水平面がうまく形成され難いため、結果的に人力による仕上げはつりの量が多くなる傾向にある。
【０００４】
（３）動的破砕剤による鉛直破砕工法
動的破砕剤を鉛直方向に装着し、動的破砕により杭頭を鉛直方向に小割し、補助的に手動破砕機によるはつり作業を伴い、発生するコンクリートガラを処理する工法が提案されているが、まだ一般的な実用化段階には到っていない。
【０００５】
（４）竪管方式水平フィン付装薬ホルダ方式による動的破砕適用の水平破断工法
杭筋組立て時に、竪管方式の水平フィン（平鋼２枚重ね）付装薬ホルダ４本を杭外周の杭主筋内側に配置し、密閉状態とし、杭工事、掘削工事以降における杭頭表出後に、動的破砕剤を装薬ホルダに挿入し、天端部を速硬モルタルで拘束した後、遠隔操作にて杭頭余盛部を動的破砕により水平破断する（たとえば、特許文献１，２参照）。
【０００６】
（５）横孔方式による動的破砕適用の水平破断工法
装薬準備を杭頭が表出してから行う後施工方式を基本とし、時間を要さず、簡易な方法により装薬準備を行い、しかも杭頭余盛部を動的破砕により確実に水平破断できる工法であるが、杭頭余盛部をさらに細分するまでの手法とはなっていないため、引き続いて、分離された杭頭余盛部を対象として小割工法が実施されることになる（たとえば、特許文献３参照）。
【先行技術文献】
【特許文献】
【０００７】
【特許文献１】特開2016-151162号公報
【特許文献２】特開2013-124509号公報
【特許文献３】特開2014-227675号公報
【発明の概要】
【発明が解決しようとする課題】
【０００８】
市街地での杭頭処理工事は、発生する騒音や振動が規定値以内であることはもとより、近隣周辺へ不安や不快感を与えないよう極力低減する必要がある。そのためには、破砕機によるはつり作業を極力回避することが望ましく、したがって、静的破砕剤あるいは動的破砕剤の適用が前提条件となる。一方で、前者は、上述のように、破砕剤挿入が後行作業となり、先行作業であるシース管取付けやコンクリート打設などの影響も大きいことなどから、破砕の確度が必ずしも高いとは言えなく、環境面、施工性の観点から動的破砕の方が有効性は高いと判断できる。
【０００９】
また、動的破砕を適用する竪管方式水平フィン付装薬ホルダ方式による水平破断工法は、装薬準備の大部分が杭鉄筋組立て時となるため、杭頭が表出するまでの施工により装薬用機器材が損傷を受けたり、杭鉄筋が曲がったりして、破砕後に杭頭余盛部が揚重できないなど、様々な支障が考えられる。特に、装薬孔が鉛直方向である場合、装薬した破砕剤が破砕時に、上部へ噴き上がり、破砕が有効に機能しない恐れがあるため、従来工法では、速硬性の無収縮モルタルを用いて、破砕剤を孔上部より拘束し、破砕時の噴き上がり防止としていたが、硬化までに１時間前後要するため、１日の施工量が限定されていた。
【００１０】
また、上述の水平破断工法および同じく動的破砕を適用する横孔方式による水平破断工法は、杭頭余盛部を水平破断するまでの工法であり、それを細分する工法までは備えていない。
【００１１】
これまでは、杭頭処理工法に動的破砕を適用するにあたり、まず杭頭余盛部を所定位置において水平破断し、あらかじめ取り付けた吊り元により破断された杭頭余盛部を一体として揚重移動する工法としていた。その際、各主筋に鉄筋カバーやボイド材を取り付けることにより、鉄筋とコンクリートの縁を切っておくことが必要条件となる。
【００１２】
しかしながら、実際には杭頭余盛部は、通常直径が１ｍを超え、高さも80cmから1m近辺であることから、非常に重量物であり、そのまま、揚重、搬出すると言う訳には行かない。また、杭頭余盛部のコンクリートを揚重する際、揚重機のサイズも大口径の杭によっては、非常に大きくなり、また作業半径、揚重機設置位置も限定され、次工程の掘削工事においても、施工条件が限られる場合が生じる。通常、杭頭余盛部は、はつり工法により、15〜20cm大程度に小割した上で場外へ搬出するが、その際に発生する騒音や、振動は、周辺環境に与える影響が非常に大きい。したがって、杭頭部に関しては、水平破断から、杭頭余盛部の小割破砕まで、重機を用いず、かつ騒音・粉塵が発生しない工法の確立が望まれる。もちろん、その方法は、手間を要さずに、簡易かつ、瞬時にコンクリート片を破砕するような方法が望ましい。
【００１３】
本発明は、上述のような従来技術の問題に鑑み、水平破断した杭頭余盛部を場所打ちコンクリート杭の原位置から場外にそのまま搬出できるような形状・寸法に破砕することのできる杭頭処理工法を提供することを目的とする。
【課題を解決するための手段】
【００１４】
上記目的を達成するための杭頭処理工法は、場所打ちコンクリート杭の杭頭処理を行う杭頭処理工法であって、杭頭部の杭頭余盛部を水平破断する工程と、前記水平破断された杭頭余盛部の上面から複数の装薬孔を縦方向に削孔する工程と、前記複数の装薬孔に装薬材を装填する工程と、前記装薬材内の動的破砕剤により前記杭頭余盛部を小割破砕する工程と、を含み、前記装薬孔の削孔工程と、前記装薬材の装填工程と、前記杭頭余盛部の小割破砕工程とを前記場所打ちコンクリート杭の原位置において行い、前記複数の装薬孔は、前記杭頭余盛部の杭断面中心に設けられた縦方向の装薬孔、および、前記杭断面中心を中心とした同一円周上に等間隔に設けられた少なくとも４つの縦方向の装薬孔である。
【００１５】
この杭頭処理工法によれば、場所打ちコンクリート杭の杭頭処理部で水平破断された杭頭余盛部の上面に複数の装薬孔を縦方向に削孔し、複数の装薬孔は、杭頭余盛部の杭断面中心に設けられた縦方向の装薬孔、および、杭断面中心を中心とした同一円周上に等間隔に設けられた少なくとも４つの縦方向の装薬孔であることで、複数の装薬孔における各動的破砕剤による破砕力がほぼ同時に発生すると、一の装薬孔からの破砕力による亀裂が別の破砕力の発生元である最近接の他の装薬孔に向かうため、杭頭余盛部を場外にそのまま搬出できる形状・寸法に小割破砕することができる。かかる小割破砕は、場所打ちコンクリート杭の原位置において行われるので、小割破砕した杭頭余盛部を原位置から場外にそのまま搬出できる。このため、水平破断後の重量のある杭頭余盛部を揚重したり別の場所へ移動させる必要がない。
【００１６】
上記杭頭処理工法において、前記杭頭余盛部は、前記各装薬孔における前記動的破砕剤による破砕力により、前記杭断面中心の装薬孔から前記少なくとも４つの装薬孔に向けて放射状に鉛直破断されるようにすることが好ましい。
【００１７】
また、前記杭頭余盛部の全体を防爆シートで覆い、次に、前記防爆シートの上から締め付けベルトで前記杭頭余盛部を締め付けてから、前記小割破砕工程を行うことが好ましい。これにより、杭頭余盛部を小割する際の衝撃により生じるコンクリート破片の飛散と杭頭余盛部の杭主筋の変形とを防止することができる。
【００１８】
また、前記複数の装薬孔内の前記動的破砕剤を同時に点火することが好ましい。これにより、複数の装薬孔における各動的破砕剤による破砕力をほぼ同時に発生させることができる。
【００１９】
また、前記コンクリート杭のための杭鉄筋は、上面から見て円周上に並ぶように配置された杭軸方向に延びる複数の杭主筋を備え、前記杭鉄筋の組み立て時に、前記杭主筋の前記杭頭余盛部に対応する上端部分において前記複数の杭主筋が並んだ円周内側に縁切りシートを配置し、その後、前記杭鉄筋を用いて前記コンクリート杭を打設することが好ましい。かかる縁切りシートの配置により、杭頭余盛部のかぶりコンクリートと杭主筋内側のコンクリートと杭主筋とが小割破砕時に分裂し、杭頭余盛部のコンクリートが細分化され、その解体および取り外しが容易となる。
【発明の効果】
【００２０】
本発明の杭頭処理工法によれば、水平破断した杭頭余盛部を場所打ちコンクリート杭の原位置から場外にそのまま搬出できるような形状・寸法に破砕することができる。
【図面の簡単な説明】
【００２１】
【図１】本実施形態による杭頭処理工法の主要な工程を説明するためのフローチャートである。
【図２】本実施形態におけるコンクリート杭の杭頭余盛部を説明するために杭鉄筋と杭頭部を水平方向に切断して見た要部断面図（ａ）および鉛直方向に切断して見た要部断面図（ｂ）である。
【図３】本実施形態による杭頭処理工法の小割破砕に用いる装薬材を概略的に示す縦断面図である。
【図４】本実施形態における水平破断後で小割破砕前の杭頭余盛部の上面を示す平面図（ａ）、b-b線方向に切断して見た断面図（ｂ）および装薬孔の拡大平面図（ｃ）である。
【発明を実施するための形態】
【００２２】
以下、本発明を実施するための形態について図面を用いて説明する。図１は本実施形態による杭頭処理工法の主要な工程を説明するためのフローチャートである。図２は、本実施形態におけるコンクリート杭の杭頭余盛部を説明するために杭鉄筋と杭頭部を水平方向に切断して見た要部断面図（ａ）および鉛直方向に切断して見た要部断面図（ｂ）である。
【００２３】
まず、本実施形態における場所打ちコンクリート杭について図２を参照して説明する。図２（ａ）（ｂ）のように、破線で示す場所打ちのコンクリート杭１０を施工するための杭鉄筋は、コンクリート杭１０の杭軸方向に延びる複数の杭主筋１１が上面から見て円周上に等間隔に配置されるとともに、複数の杭主筋１１を包囲するようにリング状のせん断補強筋１２が配置されることで、組み立てられる。複数のせん断補強筋１２は、図２（ｂ）のように、コンクリート杭１０の杭軸方向に等間隔に配置される。
【００２４】
図２（ａ）（ｂ）のように、コンクリート杭１０は、コンクリート打設により形成され、その杭頭部２０において杭頭余盛部２１が杭天端２２と余盛天端２３との間に位置する。
【００２５】
図３は本実施形態による杭頭処理工法の小割破砕に用いる装薬材を概略的に示す縦断面図である。図３のように、装薬材４０内には動的破砕剤４１と点火具４２とが配置されている。すなわち、装薬材４０は、可撓性のあるビニル管４３内に、粒状物からなる動的破砕剤４１と点火具４２とが収容されており、ビニル管４３の両端は、プラスチック製の栓４５ａ，４５ｂがはめ込まれてからシール材４６ａ，４６ｂにより止水され密閉されている。また、点火具４２から脚線４４が外部へと延びている。
【００２６】
なお、動的破砕剤４１は、公知の各種破砕剤を使用でき、たとえば、酸化第２銅、アルミニウム、硫酸マグネシウム７水和物を主成分としたものを使用でき、点火すると、テルミット反応により激しい還元反応とともに高温・高圧の水蒸気が発生し、この発生した膨張圧を破砕力として利用する。また、臭素酸塩等のガス発生剤を主剤とした薬筒と点火具が一体となったものも使用でき、密閉状態で点火すると、高温・高圧ガスを発生する。
【００２７】
次に、本実施形態による場所打ちコンクリート杭の杭頭処理工法の主要な工程Ｓ０１〜Ｓ１６について図１〜図４を参照して説明する。工程Ｓ０１〜Ｓ１６のうち、工程Ｓ０３〜Ｓ０８が水平破断、工程Ｓ０９〜Ｓ１５が小割破砕に関する工程で、ともに場所打ちコンクリート杭の原位置において行われる。図４は、本実施形態における水平破断後で小割破砕前の杭頭余盛部の上面を示す平面図（ａ）、b-b線方向に切断して見た断面図（ｂ）および装薬孔の拡大平面図（ｃ）である。
【００２８】
図２（ａ）（ｂ）の杭鉄筋において、上面から見て円周上に等間隔に配置された複数の杭主筋１１の内側であって杭天端２２に相当する縦方向位置の上側に破線で示すようにビニルシート６０を貼り付ける（Ｓ０１）。
【００２９】
次に、図２（ａ）（ｂ）のような杭鉄筋を杭設置位置に建て込み、トレミー管を通して杭鉄筋内へコンクリートを打設する（Ｓ０２）。
【００３０】
次に、掘削工事を行い、図２（ｂ）のコンクリート杭１０の杭頭部２０が表出した後、杭頭部２０の想定破断面高さ（たとえば、約50mm）において図２（ａ）のように外周面４点で放射状に装薬孔３０を電動ドリル等で水平方向に削孔する（Ｓ０３）。装薬孔３０は、図２（ａ）のように、端部のある横孔であり、杭断面中心Ｐから放射状に略等角間隔に形成される。
【００３１】
次に、ビニル管内に動的破砕剤と点火具を詰めて密閉し（Ｓ０４）、この動的破砕剤と点火具とを詰めたビニル管を装薬孔３０内に装薬口３０ａから挿入する（Ｓ０５）。点火具に接続した脚線を装薬孔３０の外部に取り出した後、砂等からなる込め物を残りの間隙に充填し装薬孔を密閉する（Ｓ０６）。この込め物の長さは、装薬孔３０の長さの40％程度となるようビニル管の径を調整することが好ましい。なお、水平破断に用いる、ビニル管内に動的破砕剤と点火具を詰めて密閉した装薬材は、図３の装薬材と基本的に同じ構成であってよい。
【００３２】
次に、点火具から外部へ取り出した脚線を発破器から延長された発破母線に接続し（Ｓ０７）、発破器による遠隔操作にて図２（ｂ）の杭頭部２０の杭頭余盛部２１を水平破断する（Ｓ０８）。
【００３３】
工程Ｓ０８で水平破断された杭頭余盛部２１は、図４（ｂ）のように、コンクリート杭１０の杭天端２２（図２（ｂ））の上部に形成された破断面２２ａ上に位置した状態にあるが、次に、この状態で杭頭余盛部２１を小割破砕するために、図４（ａ）（ｂ）のように、杭頭余盛部２１の上面Ｓから電動ドリルで縦方向に削孔を行い、杭断面中心Ｐ（図２（ａ））に縦方向の装薬孔５０を形成し、また、杭断面中心Ｐを中心とする同一の円周Ｃ上に等間隔で４つの縦方向の装薬孔５１，５２，５３，５４を形成する（Ｓ０９）。
【００３４】
なお、装薬孔５０〜５４は、たとえば、直径25mm程度であってよく、底部に厚み50mm程度のコンクリートを残すまで削孔し、破砕により下方向へ抜け出さないようにすることが好ましい。また、装薬孔５１〜５４は、中心の装薬孔５０から放射状４方向の平面中間位置に設けることが好ましい。
【００３５】
図３のように、ビニル管４３内に動的破砕剤４１と点火具４２とを詰めて密閉した装薬材４０を予め用意し（Ｓ１０）、次に、図４（ａ）〜（ｃ）のように、装薬孔５０〜５４内に図３のビニル管４３内に動的破砕剤４１と点火具４２とを詰めた装薬材４０を装薬孔５０〜５４の底部の最深部まで挿入する（Ｓ１１）。
【００３６】
次に、図４（ｂ）のように、装薬孔５０〜５４内の各装薬材４０の上部空間に砂等からなる込め物４９を詰めて充填する（Ｓ１２）。なお、各装薬材４０の点火具４２から脚線４４が外部へと取り出される。
【００３７】
なお、込め物４９の深さは、横孔方式の込め物長率と同様に、装薬孔深さの40％程度となるようビニル管の径を調整することが好ましい。この場合の装薬量の対象となる破断面は、鉛直破断面４面であり、その面積は、杭半径×余盛り高さ×４となる。
【００３８】
次に、防爆シート６１を、図４（ｂ）のように、コンクリート杭１０の上部から杭頭余盛部２１を含む杭頭部２０の全体を包みむようにして、上方から巻き付けて防爆養生をするとともに、複数の締め付けベルト６２，６３，６４を防爆シート６１の上から杭頭余盛部２１の外周面に配置し、締め付けベルト６２〜６４で杭頭余盛部２１を固く縛るようにして締め付ける（Ｓ１３）。
【００３９】
次に、装薬孔５０〜５４内の各装薬材４０の点火具４２から外部に取り出された各脚線４４を直列に連結し、発破器（図示省略）から延長された発破母線（図示省略）に接続する（Ｓ１４）。
【００４０】
次に、発破器による遠隔操作で各点火具４２を点火し、装薬孔５０〜５４内の各動的破砕剤４１が各脚線４４の直列連結により同時に点火されることで、装薬孔５０〜５４内で各動的破砕剤４１によりほぼ同時に発生する破砕力によって杭頭余盛部２１を小割破砕する（Ｓ１５）。
【００４１】
すなわち、図４（ａ）（ｂ）のように、杭断面中心の装薬孔５０と、杭断面中心を中心とした同一の円周Ｃ上に等間隔に設けられた４つの装薬孔５１〜５４の各々とが最近接に位置する関係になっているが、各装薬孔５０〜５４内で各装薬材４０の動的破砕剤４１による膨張を伴う燃焼ガスのガス圧による破砕力がほぼ同時に発生すると、杭断面中心の装薬孔５０からの破砕力による亀裂が別の破砕力の発生元である最近接の他の装薬孔５１〜５４に向かい、同時に、４つの装薬孔５１〜５４からの破砕力による亀裂が別の破砕力の発生元である最近接の杭断面中心の装薬孔５０に向かい、また杭頭余盛部２１の最近接の外周面にも向かうことで、杭頭余盛部２１は、図４（ａ）の破線で示す破砕ラインＬ１，Ｌ２，Ｌ３，Ｌ４に沿ったようにして放射状四方向に鉛直破断される。
【００４２】
次に、コンクリート杭１０の上部から小割破砕された杭頭余盛部２１のコンクリートを取り外し、解体し、撤去し、施工現場から外部に搬出する（Ｓ１６）。
【００４３】
以上のように、本実施形態の杭頭処理工法によれば、水平破断された杭頭余盛部２１を場所打ちコンクリート杭の原位置において細分化し、細分化した杭頭余盛部２１のコンクリートを容易に解体し取り外すことができる。また、杭頭余盛部２１を小割破砕する際の、外側へ向かう破砕力によって生じる、コンクリート破片の飛散や、コンクリート杭本体に悪影響を及ぼす原因となる杭主筋の変形を防止することができる。
【００４４】
すなわち、杭頭余盛部２１のコンクリートを場外にそのまま搬出できる形状・寸法に細分化し小割破砕することができる。かかる小割破砕は、場所打ちコンクリート杭１０の原位置において行われるので、小割破砕した杭頭余盛部を原位置から場外にそのまま搬出できる。このため、水平破断後の重量のある杭頭余盛部２１を揚重したり別の場所へ移動させる必要がない。
【００４５】
また、杭外周面まで放射状に小割破砕された杭頭余盛部２１のコンクリート破片は、杭主筋１１や、小割されたコンクリート破片同士が干渉し合い、容易に取り外すことができない場合が多い。そこで、工程Ｓ０１で、図２（ａ）、図４（ａ）のように、杭頭余盛部２１において円周上に並んだ杭主筋１１の内側に縁切りシートとしてビニルシート６０を配置してから、工程Ｓ０２で杭コンクリートを打設することで、杭頭余盛部２１のかぶりコンクリートと、杭主筋１１の内側のコンクリートとを縁切りすることができる。その上で、杭頭余盛部２１の小割破砕を行うと、図４（ａ）の円周上の杭主筋位置１１ａにおいて、杭頭余盛部２１のかぶりコンクリート、杭主筋１１の内側のコンクリート、および、杭主筋１１はそれぞれが完全に分裂される。これにより、杭頭余盛部２１のコンクリートが細分化され、その解体および取り外しが容易となる。
【００４６】
また、杭頭余盛部２１の小割破砕時、図４（ｂ）のように、工程Ｓ１３で防爆シート６１にて、杭頭部２０の全体を覆うように包み込み、覆った防爆シート６１の上からラッシングベルト等の締め付けベルト６２〜６４にて杭頭部２０を上段、中段、下段の三段に締め付けるようにして、杭頭余盛部２１を外周面から固縛することで、外側へ向かう破砕力による、コンクリート破片の飛散を防止し、同時に杭頭余盛部２１の杭主筋１１の外方向への変形を拘束することができ、杭主筋１１の変形を防止することができる。
【００４７】
なお、これまでは、図４（ｂ）の装薬材４０の上部は速硬モルタルなどの硬化材料で拘束し、動的破砕時のガスの上方への噴出し防止としていたが、本実施形態では、かかる速硬モルタルに変えて、装薬材４０の上部へ込め物４９として砂を充填させ、上方への噴出し防止としている。かかる込め物４９の砂は、市販されている左官用の砂と同等のものとし、締固めを行うため、若干の湿砂（含水率20%程度）とすることが好ましい。装薬孔５０〜５４をあと施工とすると、装薬孔内と装薬材との間の摩擦力が期待できるため、込め物４９は砂でも装薬材の浮き上がりを防止することが可能となり、有効に破砕力を作用させることができる。
【００４８】
以上のように本発明を実施するための形態について説明したが、本発明はこれらに限定されるものではなく、本発明の技術的思想の範囲内で各種の変形が可能である。たとえば、本実施形態では、杭断面中心を中心とした同一円周上に等間隔に４つの縦方向の装薬孔を設けたが、さらに小割する場合には、６つまたは８つ設けてもよく、この場合、装薬量は、発生する破砕断面積に応じて調整する。
【産業上の利用可能性】
【００４９】
本発明の杭頭処理工法によれば、水平破断した杭頭余盛部を場所打ちコンクリート杭の原位置から場外にそのまま搬出できるような形状・寸法に小割破砕できるので、水平破断後の重量のある杭頭余盛部を揚重したり別の場所へ移動させる必要がなく、効率的に小割破砕後のコンクリート片を場外に搬出できる。また、動的破砕剤を用いることで、騒音・粉塵が発生せず、手間を要さずに、簡易かつ瞬時にコンクリートを破砕できるので、近隣周辺への悪影響を抑えることができる。
【符号の説明】
【００５０】
１０ コンクリート杭
１１ 杭主筋
１１ａ 杭主筋位置
２０ 杭頭部
２１ 杭頭余盛部
２２ 杭天端
３０ 装薬孔
３０ａ 装薬口
４０ 装薬材
４１ 動的破砕剤
４２ 点火具
４３ ビニル管
４４ 脚線
４９ 込め物
５０，５１，５２，５３，５４ 装薬孔
６０ ビニルシート、縁切りシート
６１ 防爆シート
６２，６３，６４ 締め付けベルト
Ｃ 円周
Ｌ１，Ｌ２，Ｌ３，Ｌ４ 破砕ライン
Ｐ 杭断面中心
【図１】
2019167690.tif 000003
【図２】
2019167690.tif 000004
【図３】
2019167690.tif 000005
【図４】
2019167690.tif 000006